(57)【要約】【課題】複数の提供元間でサービス情報を共有する。【解決手段】所定の提供元により提供されるサービスの内容情報が提供元を識別するための識別情報と対応付けられてサービス情報として記憶されている第１のデータベース２４０及び第２のデータベース２４１と、第１のデータベース及び第２のデータベースにアクセスするユーザＩＤを管理するユーザＩＤ管理手段２０とを備え、ユーザＩＤ管理手段２０は、ユーザＩＤで第１のデータベースにアクセスがあった場合にはユーザＩＤに対応付けられている第１識別情報及び第２識別情報に拘わらずサービス情報の閲覧を許可すると共に編集を禁止し、且つユーザＩＤで第２のデータベースにアクセスがあった場合には閲覧させてもよいサービス情報をユーザＩＤに対応付けられている第１識別情報に基づいて選定すると共に編集させてもよいサービス情報をユーザＩＤに対応付けられている第２識別情報に基づいて選定する。【選択図】図２
2018005657.tif 000002
【特許請求の範囲】
【請求項１】
所定の提供元により提供されるサービスの内容情報が前記提供元を識別するための識別情報と対応付けられてサービス情報として記憶されている第１のデータベース及び第２のデータベースと、
前記第１のデータベース及び前記第２のデータベースにアクセスするユーザＩＤを管理するユーザＩＤ管理手段と、
を備え、
前記ユーザＩＤ管理手段は、所定のグループを識別するための第１識別情報と前記グループの一部として構成されるサブグループを識別するための第２識別情報と前記サブグループの一部として構成される前記ユーザＩＤとを対応付けて管理することにより、前記ユーザＩＤで前記第１のデータベースにアクセスがあった場合には該ユーザＩＤに対応付けられている前記第１識別情報及び前記第２識別情報にかかわらず前記サービス情報の閲覧を許可するとともに編集を禁止し、且つ、前記ユーザＩＤで前記第２のデータベースにアクセスがあった場合には閲覧させてもよい前記サービス情報を該ユーザＩＤに対応付けられている前記第１識別情報に基づいて選定するとともに編集させてもよい前記サービス情報を該ユーザＩＤに対応付けられている前記第２識別情報に基づいて選定することを特徴とするデータ管理システム。
【請求項２】
前記第２のデータベースは、前記サービス情報にコメント情報を対応付けて記憶させることが可能に構成され、
前記ユーザＩＤ管理手段は、前記ユーザＩＤで前記第２のデータベースにアクセスがあった場合には前記コメント情報を対応付けてもよい前記サービス情報を該ユーザＩＤに対応付けられている前記第２識別情報に基づいて選定するとともに閲覧させてもよい前記コメント情報を該ユーザＩＤに対応付けられている前記第１識別情報に基づいて選定することを特徴とする請求項１に記載のデータ管理システム。
【請求項３】
所定の提供元により提供される介護サービスの内容情報が前記提供元を識別するための識別情報と対応付けられて介護サービス情報として記憶されている第１のデータベース及び第２のデータベースと、
前記第１のデータベース及び前記第２のデータベースにアクセスするユーザＩＤを管理するユーザＩＤ管理手段と、
を備え、
前記ユーザＩＤ管理手段は、介護行政区域または該介護行政区域で介護行政を行う行政主体を識別するための第１識別情報と前記介護行政区域で介護サービスの提供を支援する事業者または地域包括支援センターを識別するための第２識別情報と前記事業者または前記地域包括支援センターのメンバーに割り当てられたユーザＩＤとを対応付けて管理することにより、前記ユーザＩＤで前記第１のデータベースにアクセスがあった場合には該ユーザＩＤに対応付けられている前記第１識別情報及び前記第２識別情報にかかわらず前記介護サービス情報の閲覧を許可するとともに編集を禁止し、且つ、前記ユーザＩＤで前記第２のデータベースにアクセスがあった場合には閲覧させてもよい前記介護サービス情報を該ユーザＩＤに対応付けられている前記第１識別情報に基づいて選定するとともに編集させてもよい前記介護サービス情報を該ユーザＩＤに対応付けられている前記第２識別情報に基づいて選定することを特徴とするデータ管理システム。
【請求項４】
前記第１のデータベースへのアクセスは、前記提供元以外にも公開可能な公開ページへのアクセスであり、
前記第２のデータベースへのアクセスは、前記提供元が閲覧可能な事業者ページへのアクセスである
ことを特徴とする請求項１乃至請求項３の何れか一項に記載のデータ管理システム。
【請求項５】
所定の提供元により提供されるサービスの内容情報が前記提供元を識別するための識別情報と対応付けられてサービス情報として記憶されているデータベースと、
前記データベースにアクセスするユーザＩＤを管理するユーザＩＤ管理手段と、
を備え、
前記ユーザＩＤ管理手段は、
所定のメイングループに属する前記ユーザＩＤのアクセスがあった場合には、前記データベースを閲覧させてもよい前記サービス情報を該ユーザＩＤに基づいて選定する閲覧可能情報選定手段と、
前記メイングループの一部として構成されるサブグループに属するユーザＩＤのアクセスがあった場合には、前記データベースを編集させてもよい前記サービス情報を該ユーザＩＤに基づいて選定する編集可能情報選定手段と
を備えることを特徴とするデータ管理システム。
【請求項６】
前記データベースは、第１のデータベース及び第２のデータベースを備え、
前記ユーザＩＤ管理手段は、
前記メイングループを識別するための第１識別情報と前記メイングループの一部として構成されるサブグループを識別するための第２識別情報と前記サブグループの一部として構成される前記ユーザＩＤとを対応付けて管理するサブグループ管理手段と、
前記ユーザＩＤのアクセスがあった場合には、該ユーザＩＤにかかわらず前記サービス情報の閲覧を、前記第１のデータベース、及び前記第２のデータベースに対して許可するとともに編集を禁止するデータベース管理手段とをさらに備え、
前記閲覧可能情報選定手段は、前記第２のデータベースに格納されている前記サービス情報を該ユーザＩＤに対応付けられている前記第１識別情報に基づいて選定し、
前記編集可能情報選定手段は、前記第２のデータベースに格納されている前記サービス情報を該ユーザＩＤに対応付けられている前記第２識別情報に基づいて選定することを特徴とする請求項５に記載のデータ管理システム。
【請求項７】
前記メイングループは、介護行政区域または該介護行政区域で介護行政を行う行政主体であり、
前記サブグループは、前記介護行政区域で介護サービスの提供を支援する事業者または地域包括支援センターであり、
前記ユーザＩＤは、前記事業者または前記地域包括支援センターのメンバーに割り当てられており、
前記サービス情報は、介護サービス情報である
ことを特徴とする請求項５に記載のデータ管理システム。
【請求項８】
所定の提供元により提供されるサービスの内容情報が前記提供元を識別するための識別情報と対応付けられてサービス情報として記憶されているデータベースに接続されるデータ管理サーバであって、
所定のメイングループに属するユーザＩＤのアクセスがあった場合には、前記データベースを閲覧させてもよい前記サービス情報を該ユーザＩＤに基づいて選定する閲覧可能情報選定手段と、
前記メイングループの一部として構成されるサブグループに属するユーザＩＤのアクセスがあった場合には、前記データベースを編集させてもよい前記サービス情報を該ユーザＩＤに基づいて選定する編集可能情報選定手段と
を備えることを特徴とするデータ管理サーバ。
【請求項９】
前記メイングループに対応させて、該メイングループに属する複数の前記サブグループを登録するサブグループ登録手段と、
複数の前記サブグループの何れかに対応させて、前記ユーザＩＤを登録するユーザＩＤ登録手段と、
前記サブグループを登録するサブグループ登録画面、前記ユーザＩＤを登録するユーザＩＤ登録画面、及び、前記閲覧が許可されたサービス情報を端末に送信する情報送信手段と
をさらに備えることを特徴とする請求項８に記載のデータ管理サーバ。
【請求項１０】
所定の提供元により提供されるサービスの内容情報が前記提供元を識別するための識別情報と対応付けられてサービス情報として記憶されている第１のデータベース及び第２のデータベースと、
前記第１のデータベース及び前記第２のデータベースにアクセスするユーザＩＤを管理するユーザＩＤ管理手段と、
を備えたデータ管理システムのデータ管理方法であって、
前記ユーザＩＤ管理手段は、所定のグループを識別するための第１識別情報と前記グループの一部として構成されるサブグループを識別するための第２識別情報と前記サブグループの一部として構成される前記ユーザＩＤとを対応付けて管理することにより、前記ユーザＩＤで前記第１のデータベースにアクセスがあった場合には該ユーザＩＤに対応付けられている前記第１識別情報及び前記第２識別情報にかかわらず前記サービス情報の閲覧を許可するとともに編集を禁止し、且つ、前記ユーザＩＤで前記第２のデータベースにアクセスがあった場合には閲覧させてもよい前記サービス情報を該ユーザＩＤに対応付けられている前記第１識別情報に基づいて選定するとともに編集させてもよい前記サービス情報を該ユーザＩＤに対応付けられている前記第２識別情報に基づいて選定することを特徴とするデータ管理方法。
【請求項１１】
所定の提供元により提供されるサービスの内容情報が前記提供元を識別するための識別情報と対応付けられてサービス情報として記憶されているデータベースに接続されているコンピュータを、
所定のメイングループに属するユーザＩＤのアクセスがあった場合には、前記データベースを閲覧させてもよい前記サービス情報を該ユーザＩＤに基づいて選定する閲覧可能情報選定手段と、
前記メイングループの一部として構成されるサブグループに属するユーザＩＤのアクセスがあった場合には、前記データベースを編集させてもよい前記サービス情報を該ユーザＩＤに基づいて選定する編集可能情報選定手段と、
に機能させることを特徴とするプログラム。
【発明の詳細な説明】
【技術分野】
【０００１】
本発明は、データ管理システム、データ管理方法、データ管理サーバ、データ管理方法、及びデータ管理プログラムに関する。
【背景技術】
【０００２】
複数の介護事業者の情報をサーバに格納し、ネットワーク上に公開する技術が知られている。このサーバは、ケアマネが収集した介護情報を格納し、介護事業者と情報共有することができる。
【０００３】
特許文献１は、各事業所のスタッフが操作する事業所側端末と、各ケアマネジャーが所持するケアマネ側移動端末と、前記事業所側端末及び前記ケアマネ側移動端末との間で通信可能なサーバーとを備えた介護用情報管理システムを開示している。前記サーバーは、前記事業所側端末から入力された事業所の情報が事業所ごとに格納され、前記ケアマネ側移動端末は、前記サーバーから各事業所の情報を読み込む読込処理部と、前記サーバーから読み込んだ各事業所の情報を表示部に表示させる表示処理部とを備えることを特徴とする。これにより、要介護者と接するケアマネジャーが、自ら記憶している以上の各事業所の情報を、ケアマネ側移動端末を用いて要介護者に閲覧させることができるため、要介護者の要望を確認しながら、要介護者にとって最適な事業所を選定することができる。
【先行技術文献】
【特許文献】
【０００４】
【特許文献１】特開２０１５−９６９８７号公報（請求項１、要約書）
【発明の概要】
【発明が解決しようとする課題】
【０００５】
ところで、特許文献１に記載の技術は、複数の事業所の情報がサーバーに格納されており、各ケアマネージャーが各事業所の情報を共有することができるように構成されている。しかしながら、特許文献１に記載の技術は、各事業所と各ケアマネジャーとは互いに独立しており、複数の事業所も複数のケアマネもグループ化されていない。このため、特許文献１に記載の技術は、複数の事業所（情報の提供元）間で介護情報（サービス情報）を共有することができない。
【０００６】
本発明の課題は、複数の提供元間でサービス情報を共有することである。
【課題を解決するための手段】
【０００７】
前記課題を解決するために、本発明のデータ管理システムは、所定の提供元により提供されるサービスの内容情報が前記提供元を識別するための識別情報と対応付けられてサービス情報として記憶されている第１のデータベース及び第２のデータベースと、前記第１のデータベース及び前記第２のデータベースにアクセスするユーザＩＤを管理するユーザＩＤ管理手段と、を備える。前記ユーザＩＤ管理手段は、所定のグループを識別するための第１識別情報と前記グループの一部として構成されるサブグループを識別するための第２識別情報と前記サブグループの一部として構成される前記ユーザＩＤとを対応付けて管理することにより、前記ユーザＩＤで前記第１のデータベースにアクセスがあった場合には該ユーザＩＤに対応付けられている前記第１識別情報及び前記第２識別情報にかかわらず前記サービス情報の閲覧を許可するとともに編集を禁止し、且つ、前記ユーザＩＤで前記第２のデータベースにアクセスがあった場合には閲覧させてもよい前記サービス情報を該ユーザＩＤに対応付けられている前記第１識別情報に基づいて選定するとともに編集させてもよい前記サービス情報を該ユーザＩＤに対応付けられている前記第２識別情報に基づいて選定することを特徴とする。
【発明の効果】
【０００８】
本発明によれば、複数の提供元間でサービス情報を共有することができる。
【図面の簡単な説明】
【０００９】
【図１】本発明の実施形態であるデータ管理システムの概念図である。
【図２】データ管理システムの構成図である。
【図３】サービス情報を共有する共有関係を説明するための概念図である。
【図４】ユーザＩＤテーブルの一例を示す図である。
【図５】メイングループを登録する登録画面の一例を示す図である。
【図６】データ管理システムの動作を説明するためのフローチャートである。
【図７】ユーザ情報登録画面の一例を示す図である。
【図８】サービス情報登録画面の一例を示す図である。
【図９】データ管理サーバによるユーザ端末に対する閲覧・編集を説明するためのフローチャートである。
【図１０】サービス情報を表示するサービス情報画面の一例を示す図である。
【図１１】第２実施形態におけるデータ管理サーバによるユーザ端末に対する閲覧・編集を説明するためのフローチャートである。
【発明を実施するための形態】
【００１０】
以下、図面を参照して、本発明の実施の形態（以下、「本実施形態」と称する）につき詳細に説明する。なお、各図は、本実施形態を十分に理解できる程度に、概略的に示してあるに過ぎない。また、各図において、共通する構成要素や同様な構成要素については、同一の符号を付し、それらの重複する説明を省略する。
【００１１】
（第１実施形態）
図１は、本発明の実施形態であるデータ管理システムの全体構成図である。
データ管理システム１０００は、複数のデータ管理サーバ１００（１００ａ，１００ｂ）と、データ管理サーバ１００（１００ａ，１００ｂ）に接続されたデータベース２００（２００ａ，２００ｂ）と、ロードバランサ３００とを備え、複数の端末４００（４００ａ，４００ｂ，４００ｃ，４００ｄ，４００ｅ）に通信可能に接続されている。ここで、一方のデータベース２００ｂは、リレーショナルデータベース（ＲＤＢ）であり、他方のデータベース２００ｂは、Ｓ３（Simple Strage Service）である。ロードバランサ３００は、データ管理サーバ１００ａ，１００ｂの負荷を分散する。
【００１２】
データ管理サーバ１００は、端末４００のユーザＩＤ（ＩＤentification）をグループ毎に登録する登録機能と、端末４００から受信したサービス情報をデータベース２００に蓄積する蓄積機能と、ユーザＩＤに応じて選択されたサービス情報を端末４００に送信する送信機能とを有する。ここで、端末４００は、例えば、行政の介護保険課の管理者が管理するユーザ端末４００ａと、任意の地域住民が管理するユーザ端末４００ｃと、パートナ企業のユーザ端末４００ｂと、運営者端末４００ｄ，４００ｅとがある。また、サービス情報は、データやコンテンツ等である。ユーザ端末４００ｂは、サービス情報を共有するパートナ企業のＰＣ（Personal Computer）であり、複数の端末や企業でグループ（図３）を構成する。ユーザ端末４００ｃは、一般の地域住民が所有するＰＣである。運営者端末４００ｄ，４００ｅは、サービス情報を提供するＷｅｂサイトを運営する運営会社のＰＣである。また、端末４００は、ブラウザを備えており、データ管理サーバ１００が送信する画面情報（画像情報）を使用者が閲覧し、使用者が入力した入力情報をデータ管理サーバ１００に返信できるように構成されている。
【００１３】
なお、事業者端末としてのユーザ端末４００ａ，４００ｂと、地域住民が管理するユーザ端末４００ｃと、運営者端末４００ｄ，４００ｅとは、暗号化通信とＩＰアドレスの制限とにより、高度なセキュリティが掛けられている。なお、不正な通信は、データベース２００にアクセスできないように構成されている。
【００１４】
また、サービス情報を共有するグループは、例えば、介護行政区域または該介護行政区域で介護行政を行う行政主体、介護行政区域で介護サービスの提供を支援する事業者、地域介護包括支援センターである。ユーザＩＤは、社員、事業者、地域包括支援センターのメンバーの各々に割り当てられている。なお、事業者が提供するサービスは、例えば、入浴サービス、鍼灸、家事援助、見守りサービス、配食サービス、食材配達、移動スーパ、介護タクシー等の地域資源や、介護保険が適用される介護サービスがある。また、地域包括支援センターは、市町村が設置主体となり、保健師・社会福祉士・主任介護支援専門員等を配置して、３職種のチームアプローチにより、住民の健康の保持及び生活の安定のために必要な援助を行うことにより、その保健医療の向上及び福祉の増進を包括的に支援することを目的とする施設である。
【００１５】
図２は、データ管理サーバ、及びデータベースの構成図である。
データ管理サーバ１００は、制御部１０と、不揮発性記憶部５０と、揮発性記憶部６０と、情報送信手段としての通信部７０とを備えるコンピュータである。制御部１０は、ＣＰＵ（Central Processing Unit）であり、ＯＳ（Operating System）５２やアプリケーションプログラム５１を実行する。制御部１０は、プログラムの実行により、ユーザＩＤ管理手段２０と、登録手段３０と、通信制御手段４０との機能を実現する。
【００１６】
データベース２００は、一般公開地域資源データベース２１０と、一般公開介護サービスデータベース２２０と、非公開資源情報データベース２３０、ユーザＩＤテーブル２６０とを備える。一般公開地域資源データベース２１０と一般公開介護サービスデータベース２２０とは、第１のデータベース２４０を構成し、非公開資源情報データベース２３０は、第２のデータベース２４１を構成する。第１のデータベース２４０は、一般の地域住民を含めた何れのユーザＩＤの端末４００でも閲覧可能な公開情報を格納しており、第２のデータベース２４１は、事業者ページにアクセスしたときに、閲覧可能なものである。言い換えれば、第２のデータベース２４１は、ユーザＩＤと同一の特定グループ内（メイングループ内）で閲覧可能に構成されている。なお、後記するが、第２のデータベース２４１は、ユーザＩＤと同一の特定のサブグループ内で編集可能である。
【００１７】
グループのユーザは、特定のグループ（特定のメイングループやサブグループ）のユーザＩＤの登録時等に、サービス情報を登録する。そして、データ管理サーバ１００は、登録されたサービス情報を第１のデータベース２４０と第２のデータベース２４１との２種類のデータベースにコピーして格納する。なお、第１のデータベース２４０は、ファイルの保管期限が設定され、保管期限に到達すると自動削除されるものとし、第２のデータベース２４１は、ファイルの保管期限が設定されておらず、削除指示が無ければ削除されないものとしている。
【００１８】
図３は、サービス情報を共有する共有関係を説明するための概念図である。
図１で説明したように、ユーザ端末（事業者端末）４００ａ，４００ｂ，・・・を操作する操作者は、例えば、行政の介護保険課Ｚと、複数の地域包括支援センターＸ，ＹとでメイングループＷを構成する。メイングループＷ（例えば、港区グループ）は、行政の介護保険課に所属する複数の職員Ｚ１，Ｚ２，・・・，Ｚ５がサブグループＡを構成し、地域包括支援センターＸの複数の職員Ｘ１，Ｘ２，Ｘ３や複数のケアマネＸ４，Ｘ５がサブグループＢを構成する。また、他の地域包括支援センターＹに所属する複数の職員Ｙ１，Ｙ２，Ｙ３や複数のケアマネＹ４，Ｙ５がサブグループＣを構成する。なお、図示しないが、一つの行政地域でメイングループＷを組織し、他の行政地域でメイングループＵを構成する。また、図３は、行政の介護保険課Ｚと複数の地域包括支援センターＸ，Ｙとの関係で説明したが、サービス事業者の本社とサービス事業者の支店との関係でも構わない。
【００１９】
本実施形態のデータ管理サーバ１００は、事業者用ページでなければ（つまり、公開ページであれば）、何れのユーザＩＤでも第１のデータベース２４０を閲覧可能とするように構成されている。また、管理サーバ１００は、事業者用ページであれば、メイングループ内のユーザＩＤで第２のデータベース２４１を閲覧可能とし、サブグループ内のユーザＩＤで、第２のデータベース２４１を閲覧・編集可能とするように構成されている。つまり、一般の地域住民のユーザ端末４００ｃ（図１）は、一般公開地域資源データベース２１０や一般公開介護サービスデータベース２２０には、アクセスできるが、非公開資源情報データベース２３０には、アクセスすることができない。
【００２０】
図２の説明に戻って、ユーザＩＤ管理手段２０は、閲覧可能情報選定手段２１と、編集可能情報選定手段２２と、サブグループ管理手段２３と、非公開資源情報データベース管理手段２４と、非グループ閲覧手段２５とを備える。
【００２１】
閲覧可能情報選定手段２１は、ユーザＩＤに基づいて、閲覧を許可するサービス情報を第１のデータベースから選定する。つまり、閲覧可能情報選定手段２１は、メイングループに属しているユーザＩＤであれば、サブグループＡ，Ｂ，Ｃが登録したサービス情報の何れも選定し、選定されたサービス情報を閲覧可能に設定する。編集可能情報選定手段２２は、サブグループに属するユーザＩＤであれば、当該サブグループで登録したサービス情報を選定し、選定されたサービス情報を閲覧編集可能に設定する。
【００２２】
サブグループ管理手段２３は、メイングループを識別する第１識別情報と、該メイングループの一部として構成されるサブグループを識別する第２識別情報とを、該サブグループの一部として構成されるユーザＩＤに対応付けて管理する。
【００２３】
図４は、ユーザＩＤテーブル２６０の一例を示す図である。
ユーザＩＤテーブル２６０は、ユーザ名とユーザＩＤとＰＡＳＳＷＯＲＤと第１識別情報と第２識別情報との項目を備える。ユーザＩＤテーブル２６０は、例えば、サブグループＡの職員Ｘ１（図３）のユーザＩＤ「Ａ０００１」とＰＡＳＳＷＯＲＤ「＊＊＊＊＊＊＊」とに対応付けて、メイングループを識別する第１識別情報「００００１」とサブグループＡを識別する第２識別情報「１０００１」とを格納している。
【００２４】
また、ユーザＩＤテーブル２６０は、サブグループＢの職員Ｙ１（図３）のユーザＩＤ「Ｂ０００１」とＰＡＳＳＷＯＲＤ「＊＊＊＊＊＊＊」とに対応付けて、メイングループを識別する第１識別情報「００００１」とサブグループＢを識別する第２識別情報「１０００２」とを格納している。また、ユーザＩＤテーブル２６０は、一般の地域住民ＰのユーザＩＤ「Ｚ００００１０」とＰＡＳＳＷＯＲＤ「＊＊＊＊＊＊＊」とに対応付けて、メイングループに含まれないことを示す第１識別情報「９９９９９」と、何れのサブグループにも含まれないことを示す第２識別情報「９９９９９」とを格納している。
【００２５】
再び、図２の説明に戻って、非公開資源情報データベース管理手段２４は、ユーザＩＤがメイングループに属する場合には、該ユーザＩＤにかかわらず、第２のデータベースに対して、サービス情報の閲覧を許可すると共に編集を禁止する。また、非公開資源情報データベース管理手段２４は、ユーザＩＤがサブグループに属する場合には、第２のデータベースに対して、サービス情報の閲覧・編集を許可する。
非グループ閲覧手段２５は、メイングループやサブグループに属さない地域住民等に対して、第１のデータベース２４０としての一般公開地域資源データベース２１０、及び一般公開介護サービスデータベース２２０に格納されているサービス情報の閲覧を許可する。なお、非グループ閲覧手段２５は、一般公開地域資源データベース２１０、及び一般公開介護サービスデータベース２２０に格納されているサービス情報の編集を許可しない。
【００２６】
登録手段３０は、メイングループと、該メイングループの一部としてのサブグループと、該サブグループに属するユーザＩＤとを登録する機能手段であり、端末４００に送信する登録画面の情報を生成する。つまり、登録手段３０は、ユーザＩＤ毎に、メイングループを示す識別情報（第１識別情報）とサブグループを示す識別情報（第２識別情報）とをユーザＩＤテーブル２６０として格納する。
【００２７】
図５は、メイングループを登録する設定画面の一例を示す図である。
この画面は、複数のサブグループが登録されていることを前提として、メイングループを登録する画面であり、事業者用ページとして端末４００に表示される。
メイングループ設定画面６００は、例えば、「メイングループ名」欄６０１と、「サブグループ名」選択ボタン６０２と、「承認」ボタン６０３と、「承認者」ボタン６０４と、「承認済サブグループ」欄６０５とを備える。
【００２８】
「メイングループ名」欄６０１は、新たに登録を行うメイングループ名（例えば、「港区グループ」）を指定する。「サブグループ名」選択ボタン６０２は、自己が承認を行うべきサブグループ名（例えば、地域包括支援センターＸ，Ｙ（図３参照））がプルダウン方式で表示される欄である。「承認」ボタン６０３は、「サブグループ名」選択ボタン６０２で選択されたサブグループをメイングループに加えることを承認するボタンである。「承認者」ボタン６０４は、承認を行った承認者を選択するボタンであり、通常はサブグループの管理者が承認を行う。「承認済サブグループ」欄６０５は、自己が承認を行ったサブグループが表示される。データ管理サーバ１００は、メイングループを構成する全てのサブグループの承認が得られたら、該メイングループをユーザＩＤテーブル２６０（図２）に登録する。
【００２９】
図２の説明に戻って、通信制御手段４０は、通信部７０に対して端末４００と通信させるものであり、サービス情報を含む画面情報を送信させ、ＩＤ等の登録情報の返信を受信させる。
【００３０】
不揮発性記憶部５０は、ＨＤＤ(Hard Disk Drive)やＲＯＭ（Read Only Memory）であり、アプリケーションプログラム５１やＯＳ５２を格納する。揮発性記憶部６０は、ＲＡＭ（Random Access Memory）であり、ワーキングメモリとして使用される。通信部７０は、通信制御手段４０の指示に基づいて、ＷＡＮ(Wide Area Network)やＬＡＮ(Local Area Network)を介して端末４００と通信を行う。
【００３１】
図６は、データ管理システムの動作を説明するためのフローチャートであり、ユーザ端末（事業者端末）４００ａと、データ管理サーバ１００と、運営者端末４００ｄとの動作を示した図である。
データ管理サーバ１００は、ユーザ端末４００ａに対してユーザＩＤ、メイングループ、サブグループ等のユーザ情報を登録するユーザ情報登録画面７００（図７参照）を送信する（Ｓ１）。
【００３２】
図７は、ユーザ情報登録画面の一例を示す図である。
ユーザ情報登録画面７００は、例えば、ユーザの「名称」欄７０１と、「名称 フリガナ」欄７０２と、「事業者番号」欄７０３と、「住所」欄７０４と、「電話番号」欄７０５と、「ＦＡＸ番号」欄７０６と、「Ｅ−ｍａｉｌアドレス」欄７０７と、「代表者」欄７０８と、「メモ」欄７０９と、「戻る」ボタン７１０と、「登録」ボタン７１１と、「削除」ボタン７１２とを備える。
【００３３】
ユーザ情報登録画面７００は、具体的には、名称「地域包括支援センター」、フリガナ「チイキシエンホウカツセンター」、事業者番号「１２３４５６７８９０」、住所「東京都港区」が入力されている。
【００３４】
図６の説明に戻り、ユーザ端末４００ａは、データ管理サーバ１００にユーザ情報を送信（返信）する（Ｓ３）。そして、データ管理サーバ１００は、受信したユーザ情報（アカウント）を登録する（Ｓ５）。
【００３５】
次に、データ管理サーバ１００は、ユーザ端末４００ａに対して、サービス情報を登録するサービス情報登録画面８００（図８参照）のデータを送信し（Ｓ７）、ユーザ端末４００ａは、データ管理サーバ１００に対してサービス情報を送信（返信）する（Ｓ９）。このとき、ユーザ端末４００ａは、サービス情報に一般の地域住民に対して公開可能な情報か、メイングループのメンバーに対して公開可能な情報か、サブグループのメンバーにのみ公開・編集可能な情報か否かの識別子（図示しない）を付与する。
【００３６】
図８は、サービス情報登録画面の一例を示す図である。
サービス情報登録画面８００は、例えば、「サービス提供元名称」欄８０１と、「サービス提供元ＨＰ」欄８０２と、「事業者区分欄」８０３と、「画像ファイルのアップロード」欄８０４と、「サービス名称」欄８０５と、「サービス提供場所」欄８０６と、「サービス概要」欄８０７と、「有償・無償」欄８０８と、「料金目安（ご参考）」欄８０９と、「キャンセル」ボタン８１０と、「登録」ボタン８１１とを備える。
【００３７】
サービス情報登録画面８００は、具体的には、サービス提供元名称「□□フーズ」、住所「東京都港区」のサービス名称「配食サービス」、特に「夕食の宅配」サービス、料金目安「１回あたり５００円」の「有償」が入力されている。
【００３８】
図６の説明に戻りそして、データ管理サーバ１００は、ユーザ端末４００ａからサービス情報を受信する（Ｓ１１）。データ管理サーバ１００は、受信したサービス情報を運営者端末４００ｄに送信し（Ｓ１３）、運営者端末４００ｄは、サービス情報を受信する（Ｓ１５）。運営者端末４００ｄは、識別子に基づいて分類されたサービス情報を一般公開地域資源データベース２１０と、一般公開介護サービスデータベース２２０との何れが適切か分類する（Ｓ１７）。データ管理サーバ１００は、その分類に基づいて、一般公開地域資源データベース２１０、及び一般公開介護サービスデータベース２２０の何れか一方に格納する（Ｓ１９）。また、データ管理サーバ１００は、識別子に基づいて、メイングループの閲覧が可能なサービス情報であれば、第１の識別情報を付して、非公開資源情報データベース２３０に格納する（Ｓ１９）。また、データ管理サーバ１００は、サブグループの閲覧・編集が可能なサービス情報であれば、第２の識別情報を付して非公開資源情報データベース２３０に格納する（Ｓ１９）。つまり、データ管理サーバ１００は、図示しない識別子に基づいて、一般公開地域資源データベース２１０、及び一般公開介護サービスデータベース２２０の何れか一方と、非公開資源情報データベース２３０との双方に同一のサービス情報を格納する（Ｓ１９）。
【００３９】
図９は、データ管理サーバによるユーザ端末に対する閲覧・編集を説明するためのフローチャートである。
ユーザ端末（事業者端末）４００ａは、所定の画面を用いて、データ管理サーバ１００に対して、閲覧・編集を請求する（Ｓ２１）。データ管理サーバ１００は、閲覧・編集請求を受信し（Ｓ２３）、閲覧・編集請求が事業者ページを用いて、請求されたか否か判定する（Ｓ２５）。事業者ページでの請求でなければ（Ｓ２５でＮｏ）、データ管理サーバ１００は、第１のデータベースである一般公開地域資源データベース２１０、及び一般公開介護サービスデータベース２２０の閲覧を許可する（Ｓ２７）。一方、事業者ページでの請求であれば（Ｓ２５でＹｅｓ）、データ管理サーバ１００は、ユーザＩＤテーブル２６０（図２，４）を参照して、ユーザＩＤの識別情報（第１識別情報、第２識別情報）を特定する（Ｓ２９）。識別情報の特定後、データ管理サーバ１００は、特定された識別情報とサービス情報に付された識別情報とが一致するか否か判定する（Ｓ３１）。
【００４０】
Ｓ２９で特定された識別情報とサービス情報に付された第１の識別情報とが一致すると（Ｓ３１で第１の識別情報）、データ管理サーバ１００は、第２のデータベースとしての非公開資源情報データベース２３０の閲覧を許可する（Ｓ３３）。一方、Ｓ２９で特定されたユーザＩＤとサービス情報に付された第２の識別情報とが一致すると（Ｓ３１で第２の識別情報）、データ管理サーバ１００は、非公開資源情報データベース２３０の閲覧・編集を許可する（Ｓ３５）。また、Ｓ２９で特定されたユーザＩＤとサービス情報に付された識別情報とが不一致であると（Ｓ３１で不一致）、データ管理サーバ１００は、非公開資源情報データベース２３０の閲覧・編集を許可しない（Ｓ３７）。Ｓ２７，Ｓ３３，Ｓ３５の後、データ管理サーバ１００は、閲覧・編集を許可する画面をユーザ端末４００ａに送信し（Ｓ３９）、ユーザ端末４００ａは、閲覧・編集を実行する（Ｓ４１）。
【００４１】
（第２実施形態）
前記第１実施形態のサービス情報は、「サービス名称」、「カテゴリ」、「業者名」、「更新日」等の基本情報を第２のデータベースとしての非公開資源情報データベース２３０に格納していた。本実施形態の非公開資源情報データベース２３０は、これらの基本情報にコメント情報を対応付けて、格納するものとする。
【００４２】
図１０は、サービス情報を表示するサービス情報画面の一例を示す図である。
サービス情報画面５００は、基本情報欄（不図示）と、コメント情報としてのコメント欄５２０とをタブ５０１，５０２で切り替えるように構成されている。なお、何れのタブ５０１，５０２を選択しても、「サービス名称」、「カテゴリ」、「更新日」、「総合評価」、「評価」設定欄５０３がタブ５０１，５０２の上方に表示される。例えば、「総合評価」は、評価の平均値「３．１」と、「非常に良い」「良い」「どちらでもない」「悪い」「非常に悪い」と評価したメンバーの数とが表示される。なお、この総合評価は、メンバーが「評価」設定欄５０３を用いて設定したものである。
【００４３】
タブ５０２を選択したコメント欄５２０は、「編集」ボタン５１１、「削除」ボタン５１２、「公開ページへ提供」ボタン５１３、「戻る」ボタン５１４を備えている。これにより、メンバーが編集したコメント内容は、グループ内で共有したり、公開ページで公開したりすることができる。つまり、サブグループ内のメンバーが社内用に評価したコメントをメイングループのメンバーに共有することができる。また、コメントが地域住民に公開可能な内容であれば、必要に応じて、第１のデータベースを構成する一般公開地域資源データベース２１０や一般公開介護サービスデータベース２２０に格納することもできる。
【００４４】
データ管理サーバ１００の構成は、図２の構成図と同様であるが、動作が異なる。
図１１は、第２実施形態におけるデータ管理サーバによるユーザ端末に対する閲覧・編集を説明するためのフローチャートである。図１１のフローチャートにおいて、データ管理サーバ１００は、Ｓ２９で特定された識別情報とサービス情報に付された第１の識別情報とが一致すると（Ｓ４０で第1の識別情報）、第２のデータベースの閲覧許可と共に、コメント情報の閲覧許可を行う（Ｓ４２）。また、データ管理サーバ１００は、Ｓ２９で特定された識別情報とサービス情報に付された第２の識別情報とが一致すると（Ｓ４０で第２の識別情報）、第２の識別情報が付されたサービス情報にコメント情報を対応付けると共に、第２のデータベースの閲覧編集許可を行う（Ｓ４４）。
【００４５】
（変形例）
本発明は前記した実施形態に限定されるものではなく、例えば以下のような種々の変形が可能である。
（１）前記実施形態のデータ管理サーバ１００は、第１のデータベース２４０としての一般公開地域資源データベース２１０、及び一般公開介護サービスデータベース２２０を一般の地域住民に公開し、第２のデータベース２４１としての非公開資源情報データベース２３０をメイングループに公開していた。この点、データ管理サーバ１００は、非公開資源情報データベース２３０をメイングループに対して閲覧可能とする第１のデータベースと、サブグループに対して閲覧編集可能とする第２のデータベースとに分割することもできる。このときは、データ管理サーバ１００は、第１のデータベースと同一内容のサービス情報を一般公開地域資源データベース２１０と一般公開介護サービスデータベース２２０とに振り分けて格納する。
【００４６】
（２）前記実施形態のデータ管理サーバ１００は、不揮発性記憶部５０に格納されたＯＳ５２を介して制御するＰＣ（Personal Computer）として構成し、ＯＳ５２、及びアプリケーションプログラム５１が制御部（ＣＰＵ）１０を実行するものとした。この点、データ管理サーバ１００は、ＯＳ５２を省略し、アプリケーションプログラム５１が制御部１０を実行するように構成することもできる。
【００４７】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
所定の提供元により提供されるサービスの内容情報が前記提供元を識別するための識別情報と対応付けられてサービス情報として記憶されている第１のデータベース及び第２のデータベースと、
前記第１のデータベース及び前記第２のデータベースにアクセスするユーザＩＤを管理するユーザＩＤ管理手段と、
を備え、
前記ユーザＩＤ管理手段は、所定のグループを識別するための第１識別情報と前記グループの一部として構成されるサブグループを識別するための第２識別情報と前記サブグループの一部として構成される前記ユーザＩＤとを対応付けて管理することにより、前記ユーザＩＤで前記第１のデータベースにアクセスがあった場合には該ユーザＩＤに対応付けられている前記第１識別情報及び前記第２識別情報にかかわらず前記サービス情報の閲覧を許可するとともに編集を禁止し、且つ、前記ユーザＩＤで前記第２のデータベースにアクセスがあった場合には閲覧させてもよい前記サービス情報を該ユーザＩＤに対応付けられている前記第１識別情報に基づいて選定するとともに編集させてもよい前記サービス情報を該ユーザＩＤに対応付けられている前記第２識別情報に基づいて選定することを特徴とするデータ管理システム。
＜請求項２＞
前記第２のデータベースは、前記サービス情報にコメント情報を対応付けて記憶させることが可能に構成され、
前記ユーザＩＤ管理手段は、前記ユーザＩＤで前記第２のデータベースにアクセスがあった場合には前記コメント情報を対応付けてもよい前記サービス情報を該ユーザＩＤに対応付けられている前記第２識別情報に基づいて選定するとともに閲覧させてもよい前記コメント情報を該ユーザＩＤに対応付けられている前記第１識別情報に基づいて選定することを特徴とする請求項１に記載のデータ管理システム。
＜請求項３＞
所定の提供元により提供される介護サービスの内容情報が前記提供元を識別するための識別情報と対応付けられて介護サービス情報として記憶されている第１のデータベース及び第２のデータベースと、
前記第１のデータベース及び前記第２のデータベースにアクセスするユーザＩＤを管理するユーザＩＤ管理手段と、
を備え、
前記ユーザＩＤ管理手段は、介護行政区域または該介護行政区域で介護行政を行う行政主体を識別するための第１識別情報と前記介護行政区域で介護サービスの提供を支援する事業者または地域包括支援センターを識別するための第２識別情報と前記事業者または前記地域包括支援センターのメンバーに割り当てられたユーザＩＤとを対応付けて管理することにより、前記ユーザＩＤで前記第１のデータベースにアクセスがあった場合には該ユーザＩＤに対応付けられている前記第１識別情報及び前記第２識別情報にかかわらず前記介護サービス情報の閲覧を許可するとともに編集を禁止し、且つ、前記ユーザＩＤで前記第２のデータベースにアクセスがあった場合には閲覧させてもよい前記介護サービス情報を該ユーザＩＤに対応付けられている前記第１識別情報に基づいて選定するとともに編集させてもよい前記介護サービス情報を該ユーザＩＤに対応付けられている前記第２識別情報に基づいて選定することを特徴とするデータ管理システム。
＜請求項４＞
前記第１のデータベースへのアクセスは、前記提供元以外にも公開可能な公開ページへのアクセスであり、
前記第２のデータベースへのアクセスは、前記提供元が閲覧可能な事業者ページへのアクセスである
ことを特徴とする請求項１乃至請求項３の何れか一項に記載のデータ管理システム。
＜請求項５＞
所定の提供元により提供されるサービスの内容情報が前記提供元を識別するための識別情報と対応付けられてサービス情報として記憶されているデータベースと、
前記データベースにアクセスするユーザＩＤを管理するユーザＩＤ管理手段と、
を備え、
前記ユーザＩＤ管理手段は、
所定のメイングループに属する前記ユーザＩＤのアクセスがあった場合には、前記データベースを閲覧させてもよい前記サービス情報を該ユーザＩＤに基づいて選定する閲覧可能情報選定手段と、
前記メイングループの一部として構成されるサブグループに属するユーザＩＤのアクセスがあった場合には、前記データベースを編集させてもよい前記サービス情報を該ユーザＩＤに基づいて選定する編集可能情報選定手段と
を備えることを特徴とするデータ管理システム。
＜請求項６＞
前記データベースは、第１のデータベース及び第２のデータベースを備え、
前記ユーザＩＤ管理手段は、
前記メイングループを識別するための第１識別情報と前記メイングループの一部として構成されるサブグループを識別するための第２識別情報と前記サブグループの一部として構成される前記ユーザＩＤとを対応付けて管理するサブグループ管理手段と、
前記ユーザＩＤのアクセスがあった場合には、該ユーザＩＤにかかわらず前記サービス情報の閲覧を、前記第１のデータベース、及び前記第２のデータベースに対して許可するとともに編集を禁止するデータベース管理手段とをさらに備え、
前記閲覧可能情報選定手段は、前記第２のデータベースに格納されている前記サービス情報を該ユーザＩＤに対応付けられている前記第１識別情報に基づいて選定し、
前記編集可能情報選定手段は、前記第２のデータベースに格納されている前記サービス情報を該ユーザＩＤに対応付けられている前記第２識別情報に基づいて選定することを特徴とする請求項５に記載のデータ管理システム。
＜請求項７＞
前記メイングループは、介護行政区域または該介護行政区域で介護行政を行う行政主体であり、
前記サブグループは、前記介護行政区域で介護サービスの提供を支援する事業者または地域包括支援センターであり、
前記ユーザＩＤは、前記事業者または前記地域包括支援センターのメンバーに割り当てられており、
前記サービス情報は、介護サービス情報である
ことを特徴とする請求項５に記載のデータ管理システム。
＜請求項８＞
所定の提供元により提供されるサービスの内容情報が前記提供元を識別するための識別情報と対応付けられてサービス情報として記憶されているデータベースに接続されるデータ管理サーバであって、
所定のメイングループに属するユーザＩＤのアクセスがあった場合には、前記データベースを閲覧させてもよい前記サービス情報を該ユーザＩＤに基づいて選定する閲覧可能情報選定手段と、
前記メイングループの一部として構成されるサブグループに属するユーザＩＤのアクセスがあった場合には、前記データベースを編集させてもよい前記サービス情報を該ユーザＩＤに基づいて選定する編集可能情報選定手段と
を備えることを特徴とするデータ管理サーバ。
＜請求項９＞
前記メイングループに対応させて、該メイングループに属する複数の前記サブグループを登録するサブグループ登録手段と、
複数の前記サブグループの何れかに対応させて、前記ユーザＩＤを登録するユーザＩＤ登録手段と、
前記サブグループを登録するサブグループ登録画面、前記ユーザＩＤを登録するユーザＩＤ登録画面、及び、前記閲覧が許可されたサービス情報を端末に送信する情報送信手段と
をさらに備えることを特徴とする請求項８に記載のデータ管理サーバ。
＜請求項１０＞
所定の提供元により提供されるサービスの内容情報が前記提供元を識別するための識別情報と対応付けられてサービス情報として記憶されている第１のデータベース及び第２のデータベースと、
前記第１のデータベース及び前記第２のデータベースにアクセスするユーザＩＤを管理するユーザＩＤ管理手段と、
を備えたデータ管理システムのデータ管理方法であって、
前記ユーザＩＤ管理手段は、所定のグループを識別するための第１識別情報と前記グループの一部として構成されるサブグループを識別するための第２識別情報と前記サブグループの一部として構成される前記ユーザＩＤとを対応付けて管理することにより、前記ユーザＩＤで前記第１のデータベースにアクセスがあった場合には該ユーザＩＤに対応付けられている前記第１識別情報及び前記第２識別情報にかかわらず前記サービス情報の閲覧を許可するとともに編集を禁止し、且つ、前記ユーザＩＤで前記第２のデータベースにアクセスがあった場合には閲覧させてもよい前記サービス情報を該ユーザＩＤに対応付けられている前記第１識別情報に基づいて選定するとともに編集させてもよい前記サービス情報を該ユーザＩＤに対応付けられている前記第２識別情報に基づいて選定することを特徴とするデータ管理方法。
＜請求項１１＞
所定の提供元により提供されるサービスの内容情報が前記提供元を識別するための識別情報と対応付けられてサービス情報として記憶されているデータベースに接続されているコンピュータを、
所定のメイングループに属するユーザＩＤのアクセスがあった場合には、前記データベースを閲覧させてもよい前記サービス情報を該ユーザＩＤに基づいて選定する閲覧可能情報選定手段と、
前記メイングループの一部として構成されるサブグループに属するユーザＩＤのアクセスがあった場合には、前記データベースを編集させてもよい前記サービス情報を該ユーザＩＤに基づいて選定する編集可能情報選定手段と、
に機能させることを特徴とするプログラム。
【符号の説明】
【００４８】
１０  制御部（ＣＰＵ）
２０  ユーザＩＤ管理手段
２１  閲覧可能情報選定手段
２２  編集可能情報選定手段
２３  サブグループ管理手段
２４  非公開資源情報データベース管理手段
２５  非グループ閲覧手段
３０  登録手段
３１  メイングループ管理手段
３２  サブグループ登録手段
３３  ユーザＩＤ登録手段
４０  通信制御手段
５０  不揮発性記憶部
５１  アプリケーションプログラム
６０  揮発性記憶部
７０  通信部（情報送信手段）
１００，１００ａ，１００ｂ  データ管理サーバ
２００，２００ａ，２００ｂ  データベース
２１０  一般公開地域資源データベース
２２０  一般公開介護サービスデータベース
２３０  非公開資源情報データベース
２６０  ユーザＩＤテーブル
２４０  第１のデータベース
２４１  第２のデータベース
４００  端末
４００ａ，４００ｂ，４００ｃ  ユーザ端末
４００ｄ，４００ｅ，４００ｆ  運営者端末
５００  サービス情報画面
５２０  コメント欄
６００  メイングループ設定画面
７００  ユーザ情報登録画面
８００  サービス情報登録画面
１０００  データ管理システム
【図１】
2018005657.tif 000003
【図２】
2018005657.tif 000004
【図３】
2018005657.tif 000005
【図４】
2018005657.tif 000006
【図５】
2018005657.tif 000007
【図６】
2018005657.tif 000008
【図７】
2018005657.tif 000009
【図８】
2018005657.tif 000010
【図９】
2018005657.tif 000011
【図１０】
2018005657.tif 000012
【図１１】
2018005657.tif 000013